(57)【要約】【課題】装置の動作環境を設定するメニュー画面とクローズドキャプションとが重なることを防止するディジタル放送受信装置を提供する。【解決手段】メニュー画面の表示要求が視聴者からない場合、ＣＰＵ１は、クローズドキャプション信号を映像信号のＬＩＮＥ２１に挿入し、出力する（ｓ３→ｓ４→ｓ５）。一方、視聴者が設定変更を行う場合、ＣＰＵ１はメニュー画像を出力するように制御し（ｓ７）、クローズドキャプション消去信号を発生し、映像信号のＬＩＮＥ２１に挿入する（ｓ８）。この後、メニュー消去の信号を受信するか、ディジタル放送信号の受信を終了するまでは、メニュー画像を出力し続け、その間クローズドキャプション信号を出力しない（ｓ１１→ｓ９→ｓ１０）。【選択図】　図２
2004080675.tif 000002
【特許請求の範囲】
【請求項１】
選択されたチャンネルのディジタル放送信号を受信して、アナログ方式の映像信号に変換し、前記ディジタル放送信号から得られるクローズドキャプション信号を前記映像信号に多重化し、前記クローズドキャプション信号が多重化された映像信号を出力するディジタル放送受信装置において、
装置本体の設定メニュー画像を前記映像信号に合成する場合に、該映像信号の所定の走査線に前記クローズドキャプション信号の挿入を禁止することで、該クローズドキャプション信号の前記映像信号への多重化すること制限し、既に出　力されているクローズドキャプションを消去する消去信号を前記映像信号の所定の走査線に挿入する制御手段を備えたディジタル放送信号受信装置。
【請求項２】
選択されたチャンネルのディジタル放送信号を受信して、アナログ方式の映像信号に変換し、前記ディジタル放送信号から得られるクローズドキャプション信号を前記映像信号に多重化し、前記クローズドキャプション信号が多重化された映像信号を出力するディジタル放送受信装置において、
装置本体の設定メニュー画像を前記映像信号に合成する場合に、前記クローズドキャプション信号の前記映像信号への多重化を制限する制御手段を備えたディジタル放送信号受信装置。
【請求項３】
前記制御手段は、前記映像信号の所定の走査線に前記クローズドキャプション信号の挿入を禁止する請求項２に記載のディジタル放送受信装置。
【請求項４】
前記制御手段は、既に出力されているクローズドキャプションを消去する消去信号を前記映像信号に多重化する請求項２または請求項３に記載のディジタル放送受信装置。
【発明の詳細な説明】
【０００１】
【発明の属する技術分野】
この発明は、ディジタル放送信号を受信して、アナログ方式の映像信号および音声信号を出力するディジタル放送受信装置、特に、ディジタル放送信号から得られるクローズドキャプションを映像信号に多重化して出力するディジタル放送受信装置に関するものである。
【０００２】
【従来の技術】
従来のディジタル放送受信装置は、選択されたチャンネルのディジタル放送信号を受信し、アナログ方式の映像信号と音声信号とに変換し、アナログ方式の表示装置（テレビジョン受像器等）に出力する。ここで、アナログ放送用のクローズドキャプションがディジタル放送信号に含まれている場合には、受信したディジタル放送信号をアナログ方式に変換する時点で、アナログ放送用のクローズドキャプション信号を抽出する。
【０００３】
アナログ放送用のクローズドキャプション信号は、映像信号の２１本目の走査線（ＬＩＮＥ２１）に挿入することが、ＥＩＡ（電子工業会）−６０８で規格化されており、クローズドキャプション１〜４（ＣＣ１〜ＣＣ４）の４つまでを放送することができる。このため、前記抽出されたクローズドキャプション信号は、映像信号のＬＩＮＥ２１に挿入され、この多重化された映像信号が表示装置に出力される。表示装置はこの映像信号に基づいて、図５に示すように、番組映像を画面に表示するとともに、文字放送等のクローズドキャプションを画面に表示する。図５は表示装置の画面に番組映像とクローズドキャプションとが表示された状態を示す概要図である。表示装置３０の表示画面１００全体に番組映像が表示され、これに重ね合わせるように、表示画面１００の下端に近い所定範囲にクローズドキャプション１０１が表示される。
【０００４】
また、ディジタル放送受信装置は、装置本体の設定内容を変更することができ、その設定内容を容易に視認できるように表示装置にメニュー画像を出力する機能がある。メニュー画像はメモリに記憶されており、視聴者が設定変更の操作を行うと、映像信号に合成されて出力される。表示装置がこのメニュー画像を含む映像信号を画面に表示することで、図６に示すような設定変更用のメニュー画面が表示される。図６は表示装置の画面に番組映像とメニュー画面とが表示された状態を示す概要図である。表示装置３０の表示画面１００全体に番組映像が表示され、これに重ね合わせるように、表示画面１００の中央から上下端にかけて所定幅でメニュー画面１０２が表示される。
【０００５】
【発明が解決しようとする課題】
しかしながら、従来のディジタル放送受信装置は、メニュー画像が含まれる映像信号に、クローズドキャプション信号を挿入すると、図７に示すように表示装置３０の画面１００にクローズドキャプション１０１とメニュー画面１０２とが重なり合ってしまうことがある（図中の重なり部１１０）。クローズドキャプション１０１とメニュー画面１０２が重なると、視聴者にとっては、メニュー画面１０２の内容もクローズドキャプションも見えにくくなってしまう。
【０００６】
これまで、ディジタル放送受信装置については、種々の技術が提案されており、▲１▼特開平９−１０７５２９号公報や▲２▼特開２００１−３２６８７０号公報に開示された技術等がある。しかしながら、前述の問題を解決する方法は、▲１▼、▲２▼のに開示された技術を含め、全く開示されていない。
【０００７】
この発明の目的は、装置本体の動作環境を設定するメニュー画面とクローズドキャプションとが重なることを防止するディジタル放送受信装置を提供することにある。
【０００８】
【課題を解決するための手段】
この発明に示すディジタル放送受信装置は、装置本体の設定を行うためのメニュー画像を映像信号に合成する場合に、映像信号の所定の走査線にクローズドキャプション信号を挿入することを禁止することで、クローズドキャプション信号を映像信号に多重化することを制限する制御手段を備えたことを特徴としている。
【０００９】
この構成では、メニュー画像信号が出力されている間は、クローズドキャプション信号が出力されないので、表示画面には、クローズドキャプションが表示されず、番組映像とメニュー画面のみが表示される。
【００１０】
また、この発明に示すディジタル放送受信装置は、制御手段で、既に出力されているクローズドキャプションを消去する消去信号を前記映像信号に多重化することを特徴としている。
【００１１】
この構成では、消去信号を映像信号に多重化させて出力することで、既に表示画面に表示されているクローズドキャプションが消去される。
【００１２】
【発明の実施の形態】
本発明の実施形態に係るディジタル放送受信装置について、図を参照して説明する。
【００１３】
図１は本発明に係るディジタル放送受信装置の主要部を示すブロック図である。
【００１４】
ディジタル放送受信装置１０は、本発明の制御手段に対応するＣＰＵ１と、該ＣＰＵ１に接続するメモリ５と、アンテナ２０に接続するチューナ２と、ディジタル信号をアナログ信号に変換するデコーダ３と、アナログ信号に所定の処理を行うエンコーダ４と、視聴者が装置本体の設定を行うための操作手段６を備えている。エンコーダ４には表示装置３０が接続されており、表示装置３０は映像信号の２１番目の走査線（以下、単に「ＬＩＮＥ２１」という。）に挿入されたクローズドキャプション信号に基づいて、表示画面にクローズドキャプション（文字）を表示させる。
【００１５】
チューナ２には、アンテナ２０で受信されたディジタル放送信号が入力され、視聴者が操作手段６で選択しているチャンネルのディジタル信号を抽出し、デコーダ３に出力する。デコーダ３は、入力されたディジタル信号をデコードし、アナログ方式の映像信号、音声信号、およびアナログ放送用のクローズドキャプション信号を生成する。デコーダ３で生成された映像信号および音声信号は、エンコーダ４に入力される。
【００１６】
デコーダ３で生成されたクローズドキャプション信号はＣＰＵ１に入力され、メモリ５に記憶される。ＣＰＵ１は、メモリ５に記憶されたクローズドキャプション信号をエンコーダ４に出力する。エンコーダ４は、クローズドキャプション信号を映像信号のＬＩＮＥ２１に挿入し、音声信号と、クローズドキャプション信号がＬＩＮＥ２１に挿入された映像信号とをテレビジョン受像器等のアナログ方式の表示装置３０に出力する。表示装置３０は、入力された映像信号に基づいて、画面に番組映像を表示させるとともに、クローズドキャプションを画面上の所定範囲に表示させ、音声信号に基づいて所定の音声出力手段から音声を出力させる。
【００１７】
一方、装置本体の設定を変更する場合、視聴者が操作手段６を操作することで、操作手段６は設定変更信号を発生する。該設定変更信号はＣＰＵ１に入力され、ＣＰＵ１はメモリ５に記憶されている設定変更用のメニュー画像を読み出し、メニュー画像をエンコーダ４に出力する。エンコーダ４はメニュー画像を映像信号に合成して、表示装置３０に出力する。表示装置３０は、映像信号に合成されたメニュー画像に基づいて、画面上の所定位置に、メニュー画面を表示させる。
【００１８】
ここで、ＣＰＵ１は、メニュー画像を出力する場合にはクローズドキャプション信号を出力しないように制御する。これにより、表示装置３０の画面には、番組映像とメニュー画面のみが表示され、クローズドキャプションは表示されない。
【００１９】
次に、クローズドキャプションまたはメニュー画面のいずれかを表示させるフローについて説明する。
【００２０】
図２は、メニュー画面またはクローズドキャプションを表示するためのフローを示したフローチャートである。
【００２１】
ディジタル放送受信装置１０の本体電源をＯＮ状態にすると、選択されているチャンネルのディジタル放送信号の受信が開始され、ディジタル放送信号が入力される（ｓ１→ｓ２）。次に、メニュー画面の表示要求が視聴者からなければ、ＣＰＵ１は、ディジタル放送信号からクローズドキャプション信号を抽出してメモリ５に記憶し、記憶したクローズドキャプション信号を映像信号のＬＩＮＥ２１に挿入し、エンコーダ４は表示装置３０に出力する（ｓ３→ｓ４→ｓ５）。ここで、受信終了の操作（本体電源ＯＦＦ等）がなければ、順次入力されるディジタル放送信号を順次デコードし、映像信号、音声信号、およびクローズドキャプション信号を出力し続ける（ｓ６→ｓ２）。
【００２２】
ここで、視聴者が操作手段６を操作し、操作手段６が設定変更信号を発信すると、ＣＰＵ１はメニュー画像を出力する（ｓ３→ｓ７）。そして、ＣＰＵ１は、図３に示すようなクローズドキャプション消去信号を発生し、映像信号のＬＩＮＥ２１に挿入する（ｓ８）。これにより、表示装置３０の画面上に表示されていたクローズドキャプションが消去される。次に、メニュー画像消去信号を受信するか、受信終了するまでは、メニュー画像を含む映像信号を出力し続け、その間クローズドキャプション信号は映像信号に挿入（多重化）されない。（ｓ１１→ｓ９→ｓ１０）。ここで、操作手段６により、メニュー操作の終了信号が発生すると、ＣＰＵ１はメニュー画像の出力を停止する（ｓ１０→ｓ１２）。
【００２３】
クローズドキャプション消去信号は、図３に示すような８組のコード信号からなり、この８組のコードを映像信号の奇数フィールド（奇数番号の走査線）および偶数フィールド（偶数番号の走査線）に挿入することで、表示装置３０の画面に表示されているクローズドキャプションを消去する。
【００２４】
ここで、図３に示す表内のデータチャンネル１とは、奇数フィールド走査時のクローズドキャプション１（ＣＣ１）および、偶数フィールド走査時のクローズドキャプション３（ＣＣ３）を示し、データチャンネル２とは、奇数フィールド走査時のクローズドキャプション２（ＣＣ２）および、偶数フィールド走査時のクローズドキャプション４（ＣＣ４）を示している。一例として、クローズドキャプション１，２（ＣＣ１，ＣＣ２）を消去するコードを「０ｘ１４」とし、クローズドキャプション３，４（ＣＣ３，ＣＣ４）を消去するコードを「０ｘ１Ｃ」とし、表示メモリに記憶されているクローズドキャプションを消去するコードを「０ｘ２Ｃ」とし、非表示メモリに記憶されているクローズドキャプションを消去するコードを「０ｘ２Ｅ」とする。これらコード１及びコード２を２回連続で映像信号に挿入することで、消去信号は有効になる。
【００２５】
まず、コード１として「０ｘ１４」およびコード２として「０ｘ２Ｃ」をＬＩＮＥ２１に、２回連続で挿入することで、表示装置３０の表示メモリに記憶されているクローズドキャプション１，２（ＣＣ１，ＣＣ２）が消去される。すなわち、現在表示されているクローズドキャプション１，２（ＣＣ１，ＣＣ２）が画面上から消去される。
【００２６】
次に、コード１として「０ｘ１Ｃ」およびコード２として「０ｘ２Ｃ」をＬＩＮＥ２１に、２回連続で挿入することで、表示装置３０の表示メモリに記憶されているクローズドキャプション３，４（ＣＣ３，ＣＣ４）が消去される。すなわち、現在表示されているクローズドキャプション３，４（ＣＣ３，ＣＣ４）が画面上から消去される。
【００２７】
次に、コード１として「０ｘ１４」およびコード２として「０ｘ２Ｅ」をＬＩＮＥ２１に、２回連続で挿入することで、表示装置３０の非表示メモリに記憶されているクローズドキャプション１，２（ＣＣ１，ＣＣ２）が消去される。すなわち、次に表示されるべきクローズドキャプション１，２（ＣＣ１，ＣＣ２）が消去され、非表示メモリから表示メモリにクローズドキャプションが出力されない。これにより、画面上にはクローズドキャプション１，２（ＣＣ１，ＣＣ２）は表示されない。
【００２８】
次に、コード１として「０ｘ１Ｃ」およびコード２として「０ｘ２Ｅ」をＬＩＮＥ２１に、２回連続で挿入することで、表示装置３０の非表示メモリに記憶されているクローズドキャプション３，４（ＣＣ３，ＣＣ４）が消去される。すなわち、次に表示されるべきクローズドキャプション３，４（ＣＣ３，ＣＣ４）が消去され、非表示メモリから表示メモリにはなにも出力されない。これにより、画面上にはクローズドキャプション３，４（ＣＣ３，ＣＣ４）は表示されない。
【００２９】
このように、消去信号を出力することで、表示画面上のクローズドキャプションは確実に消去され、それ以降、メニュー画面が消去されるまで、クローズドキャプションは表示されない。
【００３０】
これにより、表示装置の画面上でクローズドキャプションとメニュー画像とが重なることを防止することができる。
【００３１】
なお、本実施形態では、装置本体の設定を行うためのメニュー画面を出力中に、ディジタル放送信号に含まれるアナログ放送用のクローズドキャプションを出力しないディジタル放送受信装置を示したが、ディジタル放送信号に含まれるディジタル放送用のキャプションサービスデータをアナログ方式のクローズドキャプション信号にダウンコンバートして出力することができるディジタル放送受信装置についても本発明に示す構成を適用することができる。
【００３２】
ディジタル放送信号に含まれるディジタル放送用のキャプションサービスデータをアナログ方式の表示装置に出力する場合、デコーダでディジタル放送用のキャプションサービスデータに含まれるクローズドキャプション情報をアナログ方式のクローズドキャプション信号に変換する。この変換されたクローズドキャプション信号を、前述の説明におけるアナログ放送用のクローズドキャプション信号と同様の処理を行うことで適用することができる。
【００３３】
また、本実施形態では、ディジタル放送信号のみを受信するディジタル放送受信装置について説明したが、アナログ放送も受信できる、図４に示すようなディジタル放送／アナログ放送受信装置についても、本発明に示す構成を適用することができる。
【００３４】
図４に示すディジタル放送／アナログ放送受信装置４０は、選択されたチャンネルの放送波がディジタル放送であれば、チューナ２は、アンテナ２０で受信したディジタル放送信号を入力し、選択されたチャンネルのディジタル信号を出力する。出力されたディジタル信号は、前述の図１に示したディジタル放送受信装置と同様の処理がされ、表示装置３０に出力される。一方、選択されたチャンネルがアナログ放送であれば、チューナ２は、選択されたチャンネルのアナログ信号を抽出し、アナログデコーダ３’に出力する。アナログデコーダ３’はアナログ信号を映像信号、音声信号、およびクローズドキャプション信号に分離し、映像信号と音声信号をエンコーダ４に出力する。
【００３５】
ディジタル放送用のキャプションサービスデータを変換してなるクローズドキャプション信号や、ディジタル放送に含まれるアナログ放送用のクローズドキャプション信号やアナログ放送のクローズドキャプション信号は、ＣＰＵ１に入力されて、解析されてメモリ５に記憶される。ＣＰＵ１はメモリ５に記憶されたクローズドキャプション信号を読み出し、エンコーダ４に出力して映像信号のＬＩＮＥ２１に挿入する。ここで、前述のようにメニュー画像信号が出力される場合は、クローズドキャプション信号をＬＩＮＥ２１に挿入しないように制御する。
【００３６】
このように、ディジタル放送／アナログ放送受信装置の場合、メニュー画像信号を出力中に、ディジタル放送信号に含まれるディジタル放送用キャプションサービスデータとアナログ放送用クローズドキャプション信号と、アナログ放送信号に含まれるクローズドキャプション信号とを出力しないようにすることができる。
【００３７】
【発明の効果】
この発明に示すディジタル放送受信装置は、メニュー画像が出力されると、制御手段（ＣＰＵ）が、映像信号の所定の走査線であるＬＩＮＥ２１にクローズドキャプション信号を挿入しないようにする。これにより、メニュー画像が出力されている間はクローズドキャプション信号が出力されないので、表示画面にクローズドキャプションは表示されず、番組映像とメニュー画面のみが表示される。
【００３８】
また、装置本体の設定変更用メニュー画面を表示するように視聴者が操作すると、ＣＰＵは、既に出力されているクローズドキャプションを消去する消去信号を映像信号のＬＩＮＥ２１に挿入する。これにより、既に表示画面に表示されているクローズドキャプションが確実に消去され、これ以降は、映像信号とこれに合成されたメニュー画像のみが出力され、表示装置には、番組映像と設定用メニュー画面のみが表示される。
【００３９】
これにより、視聴者は、メニュー画面とクローズドキャプションとが重なることが防止され、装置設定の変更を行う際に、装置設定用のメニュー画面を確実に見ることができる。
【図面の簡単な説明】
【図１】本発明に係るディジタル放送受信装置の主要部を示すブロック図
【図２】メニュー画面またはクローズドキャプションを表示するためのフローを示したフローチャート
【図３】消去信号の内容を示す図
【図４】ディジタル放送／アナログ放送受信装置の主要部を示すブロック図
【図５】番組映像上にクローズドキャプションが表示された状態を示す図
【図６】番組映像上にメニュー画面が表示された状態を示す図
【図７】番組映像上にクローズドキャプションとメニュー画面が同時に表示された状態を示す図
【符号の説明】
１０−ディジタル放送受信装置
１−ＣＰＵ
２−チューナ
３−デコーダ（ディジタルデコーダ）
３’−デコーダ（アナログデコーダ）
４−エンコーダ
５−メモリ
２０−アンテナ
３０−表示装置
４０−ディジタル放送／アナログ放送受信装置
１００−表示装置３０の表示画面
１０１−クローズドキャプション
１０２−メニュー画面
１１０−クローズドキャプション１０１とメニュー画面１０２との重なり部
【図１】
2004080675.tif 000003
【図２】
2004080675.tif 000004
【図３】
2004080675.tif 000005
【図４】
2004080675.tif 000006
【図５】
2004080675.tif 000007
【図６】
2004080675.tif 000008
【図７】
2004080675.tif 000009